(57)【要約】内側リングおよび外側リング、ならびにそれらの間に設けられる転動体を備える、トリポード型等速ジョイントのトリポード型ロールであるが、内側リング（３、１６）および外側リング（２、１５）には転動体（６、１７）の１つの方向への軸方向運動を制限する、互いに向かい合い２つのリングショルダー（７、８、１８、１９）を設け、そしてリング（２、１６）の１つは転動体の別の方向への軸方向運動を制限するための別のリングショルダー（９、２０）を有するが、この別のリング（３、１５）は軸方向に延長されており、そして周回している溝（１１、２２）を有し、その溝の中には半径方向に突起し、１つのリングの側面を掴んでいる止めリング（１２、２３）が収められている構造のトリポード型ロール。
2008519219.tif 000002
【特許請求の範囲】
【請求項１】
内側リングおよび外側リング、ならびにそれらの間に設けられる転動体を備える、トリポード型等速ジョイントのトリポード型ロールにおいて、内側リング（３、１６）および外側リング（２、１５）には転動体（６、１７）の１つの方向への軸方向運動を制限する、互いに向かい合い２つのリングショルダー（７、８、１８、１９）を設け、そしてリング（２、１６）の１つは転動体の別の方向への軸方向運動を制限するための別のリングショルダー（９、２０）を有するが、この別のリング（３、１５）は軸方向に延長されており、そして周回している溝（１１、２２）を有し、その溝の中には半径方向に突起し、１つのリングの側面を掴んでいる止めリング（１２、２３）が収められていることを特徴とする、トリポード型ロール。
【請求項２】
請求項１に掲げるトリポード型ロールにおいて、別のリングショルダー（９）が外側リング（２）に設けられ、内側リング（３）は軸方向に延長されており、そして止めリング（１２）を有するリング溝（１１）を有することを特徴とする、トリポード型ロール。
【請求項３】
請求項１に掲げるトリポード型ロールにおいて、別のリングショルダー（２０）が内側リング（１６）に設けられること、そして外側リング（１５）が軸方向に延長され、そして止めリング（２３）を有するリング溝（２２）を有することを特徴とする、トリポード型ロール。
【請求項４】
上記に掲げる１つの請求項に掲げるトリポード型ロールにおいて、互いに向い合うリングショルダー（７、８、１８、１９）はそれぞれのリング（２、３、１５、１６）の縁側に設けられることを特徴とする、トリポード型ロール。
【請求項５】
請求項１から４までの１つに掲げる複数のトリポード型ロールにより互いに結合されるジョイント外側部材およびジョイント内側部材から成る、トリポード型等速ジョイント。
【発明の詳細な説明】
【技術分野】
【０００１】
本発明は、内側リング、外側リング、およびこれらの間に設けられる転動体を有する
トリポード型等速ジョイントに用いられるトリポード型ロールに関する。
【背景技術】
【０００２】
この方式のトリポード型ロールないしはそのようなロールを備える等速ジョイントは、たとえば、特許文献１において知られている。この方式の等速ジョイントは、前輪駆動式乗用車のあらゆる種類のドライブシャフトに使われている。これらの等速ジョイントは周辺に分配されて設けられる３つのころがり面装置を備える回転可能のジョイント外側部材を有し、ころがり面装置はそれぞれ２つの平行に配置される平坦なころがり面ならびにジョイント外側部材によって抱え込まれる１つのトリポード型スターを備える。このトリポード型スターは周辺に分布され、半径方向に向けられている３つのピンを有するが、それらの各ピンはトリポード型ロールの内側リングに収められている。
【０００３】
特許文献１に記述されているトリポード型ロールは１つの外側リングと１つの内側リングとを有し、それらの間に転動体が設けられている。内側リングはその一端に半径方向外部に突起している一体型の段を有し、この段に外側リングの第一の前面が乗っている。ロールユニットの向かい側の端には１つのディスクと１つの止めリングとが設けられる。これらによって、ロール仕組は集約されて支えられる。ディスクの外側は内側リングの上に乗っており、そのディスクの上には外側リングの第二の前面が隙間なしに設けられる。その止めリングは内側リングに形成される溝に収められ、外側リングと相対的に動く内側リングの軸方向運動が不可能となるようにディスクの動きを止めている。内側リングと外側リングとの間に僅かの軸方向隙間をもって納められている転動体の前面は内側リングないしはディスクの段に案内されている。トリポード型ロールのこのような多段式構造は優れた点はあるにしても、転動体の他に４つの部材が必要となることで、組立に手間がかかるばかりでなく、製造コストの点からも好ましくない。
【０００４】
【特許文献１】ＥＰ０４２６１８６Ｂ１
【発明の開示】
【発明が解決しようとする課題】
【０００５】
本発明の課題は転動体の軸方向運動が制限されると同時に、非常に僅かの部材を用いてロール全体が安定的に保持されるような簡単な構造のトリポード型ロールを提案することである。
【課題を解決するための手段】
【０００６】
この課題を解決するために、冒頭に述べた様態のトリポード型ロールにおいて、内側リングおよび外側リングに、転動体の１つの方向への軸方向運動を制限する、互いに向かい合う２つのリングショルダーを設け、そしてリングの１つは転動体の別の方向への軸方向運動を制限するための別のリングショルダーを有するが、この別のリングは軸方向に延長されており、そして周回している溝を有し、その溝の中には半径方向に突起し、１つのリングの側面を掴んでいる止めリングが収められている構造が提案される。
【発明の効果】
【０００７】
本発明によれば、非常に僅かの部材を用いてロール全体が安定的に保持されるような簡単な構造のトリポード型ロールが得られる。
【発明を実施するための最良の形態】
【０００８】
本発明によるトリポード型ロールでは、転動体の他に３つの部材、すなわち、内側リング、外側リング、そして止めリングが用いられるだけである。１つの方向への軸方向運動が、内側リングからは半径方向外部に、外側リングからは半径方向内部にそれぞれ突起し、互いに向かい合う２つのリングショルダーにより制限される。他の１つの方向への軸方向運動はリングの１つに設けられる別の１つのリングショルダーにより制限され、ロール全体の固定は内側リングの外側リングからの抜け出しを防止するための止めリングによりおこなわれる。その結果、止めリングの軸方向運動が止められ、同時に、リングショルダーおよび止めリングも適切な配置により内側リングの僅かな軸方向運動が可能になるという簡単な構造が実現する。
【０００９】
さらになお、別のリングショルダーを外側リングに設け、内側リングが軸方向に延長され、そして外に向かって開いているリング溝を有し、その溝の中に、外側リングの前面を掴んでいる止めリングが設けられる構造が提案される。代案として逆の様態も可能である。すなわち、別のリングショルダーが内側リングに設けられ、このリングショルダーは半径方向外部に突起し、外側リングは軸方向に延長され、そして内壁に内部に向かって開くように形成されるリング溝および止めリングを有する。
【００１０】
トリポード型ロールを可能な限りコンパクトに、そして軸方向に向かって小さく構成するために、それぞれのリングの縁側に互いに向い合うリングショルダーを設けるという優れた構造となる。
【００１１】
さらに、本発明は、トリポード型ロールの他に、上記の形態の複数のトリポード型ロールにより互いに結合される１つのジョイント外側部材および１つのジョイント内側部材から構成されるトリポード型等速ジョイントに関する。
【実施例】
【００１２】
本発明のその他の特長および詳細は下記の実施例ならびに図面により明らかとなる。
図１  本発明のトリポード型ロールの第一の実施態様。
図２  本発明のトリポード型ロールの第二の実施態様。
【００１３】
図１は、本発明による、外側リング２、内側リング３、それらの間に収められる転動体６から構成されるトリポード型ロール１の部分断面図を示す。転動体６はニードル形態であり、適切なころがり面４、５の上を転動する。転動体６の  −  図１の右方向への  −  軸方向運動は２つの互いに向き合っているリングショルダーにより制限されるが、そのうちの１つのリングショルダー７は外側リング２の縁側にあって、半径方向内部に突起して設けられ、他方のリングショルダー８は内側リング３の縁側にあって、半径方向外部に突起して設けられる。両リングショルダーは互いにやや間隔を空けて設けられる。リングショルダーの内面の輪郭は転動体６の球面を形成する前面にほぼ対応している。
【００１４】
転動体６の  ―  図１の左側への  ―  軸方向運動は、外側リング２の縁側において半径方向内部に突起して設けられる別のリングショルダー９により制限される。図１が示すように、転動体６の前面とリングショルダー９の接触面との間にはある程度の空間が残るので、転動体６ないしは内側リング３は外側リング２に対して僅かであるが軸方向運動をすることが可能である。
【００１５】
さらに図に明らかであるように、内側リング３の幅は外側リングよりも広い。すなわち、内側リングは軸方向において外側リング２よりも突き出ている。この突き出し領域１０にはリング溝１１が形成されており、その中には１つの止めリング１２が収められるか、または張力をもってはめ込まれている。この止めリングは半径方向外部に突き出ており、外側リング２の縁側１３に当たっている。これにより、このトリポード型ロール全体がまとまって保持される。というのは、外側リング２に対して内側リング３の運動は、一方のリングショルダーまたは他方のリングショルダー７、８、９に当たる転動体６によりいずれにしても制限されるからである。
【００１６】
トリポード型ロールの組立には、まず転動体６を外側リング２にセットし、そのあと内側リング３を入れる。次いで、止めリング１２をリング溝１１に張力をもってはめ込む。  
【００１７】
図２は本発明のトリポード型ロール１４の別の実施態様を示す。このロールも外側リング１５および内側リング16ならびにそれらの間に設けられるニードル形態の転動体１７から成る。図２の右側に示されるように、外側リングはリングショルダー１８を、内側リングはリングショルダー１９を有し、これらは縁側において互いに向かい合って設けられ、転動体の運動を制限する。図１による実施態様とは異なり、こちらでは内側リング１６にさらに別のリングショルダー２０が設けられる。転動体も同様に２つのリングショルダー１９、２０よりもやや短い。両リングショルダーは互いに距離を置いていることは同じである。外側リング１５は軸方向に突き出ており、突起領域２１にリング溝２２を有し、その中に止めリング２３が張力をもってはめ込まれている。この止めリングは内側リング16の前面２４を抱え込んでいる。この場合も、ロールは止めリング２３が設置されると完全に固定され、転動体１８の運動は両側にリングショルダー１８、１９、２０により制限される。この場合も、ある程度の隙間が実現される。すなわち、内側リング16は外側リング１５に対して僅かに動くことができる。
【図面の簡単な説明】
【００１８】
【図１】本発明のトリポード型ロールの第一の実施態様。
【図２】本発明のトリポード型ロールの第二の実施態様。
【符号の説明】
【００１９】
１    トリポード型ロール      ２    外側リング          ３    内側リング
４    ころがり面              ５    ころがり面          ６    転動体
７    リングショルダー        ８    リングショルダー    ８    リングショルダー
１０  突起領域                １１  リング溝            １２  止めリング
１３  縁側                    １４  トリポード型ロール  １５  外側リング
１６  内側リング              １７  転動体              １８  リングショルダー
１９  リングショルダー        ２０  リングショルダー    ２１  突起領域
２２  リング溝                ２３  止めリング          ２４  前面
【図１】
2008519219.tif 000003
【図２】
2008519219.tif 000004
【国際調査報告】
2008519219.tif 000005
2008519219.tif 000006
2008519219.tif 000007
2008519219.tif 000008
2008519219.tif 000009
2008519219.tif 000010